(57)【要約】【課題】固視標への視線の固視を確実に行わせることができるとともに、クロスシリンダの投影を確実に行うことができる検眼装置を提供する。【解決手段】被検眼の視線の固視を行わせるための固視標を被検眼に呈示する視標投影系３２と、この視標投影系３２と光軸を共通にし、ＣＣ視標板３４ｃに対して所定の乱視量を発生させて一対のＣＣ視標像４０ａ、４０ｂを被検眼に呈示する自覚式検査系３４とを有し、視標投影系３２は、固定固視標３２ｐを被検眼に呈示する固定固視標光学系３２Ｂと、この固定固視標光学系３２Ｂと光軸を共通にし、表示部２９により表示される可変可能な可変視標を被検眼に呈示する可変視標光学系３４Ｃとを有し、さらに、ディスプレイ３２ｒに可変視標を表示させる表示制御部２７ｂを有する。【選択図】  図８
2019062935.tif 000002
【特許請求の範囲】
【請求項１】
視標呈示光学系と制御部とを備えた検眼装置において、
前記視標呈示光学系は、被検眼の視線の固視を行わせるための固視標を前記被検眼に呈示する固視標光学系と、この固視標光学系と光軸を共通にし、乱視検査用視標に対して所定の乱視量を発生させて一対の乱視検査用視標像を前記被検眼に呈示するクロスシリンダ光学系とを有し、
前記固視標光学系は、固定固視標を前記被検眼に呈示する固定固視標光学系と、この固定固視標光学系と光軸を共通にし、表示部により表示される可変可能な可変視標を前記被検眼に呈示する可変視標光学系とを有し、
前記制御部は、前記表示部に前記可変視標を表示させる表示制御部を有する
ことを特徴とする検眼装置。
【請求項２】
前記固定固視標と前記可変視標とは、前記被検眼に呈示された状態で一体の図形をなすように構成されていることを特徴とする請求項１に記載の検眼装置。
【請求項３】
前記固定固視標と前記可変視標とは、少なくともその中央部において重複して前記被検眼に呈示されることを特徴とする請求項２に記載の検眼装置。
【請求項４】
前記表示制御部は、前記表示部に連続的に変化する前記可変視標を表示させることを特徴とする請求項１〜３のいずれかに記載の検眼装置。
【請求項５】
前記固定固視標光学系は、前記固定固視標を照明する固視標用光源、及び／または前記固定固視標の周縁部に設けられた融像枠を照明する融像枠用光源、及び／または前記固定固視標の周辺部に設けられたグレア用光源を有することを特徴とする請求項１〜４のいずれかに記載の検眼装置。
【請求項６】
前記クロスシリンダ光学系は、前記乱視検査用視標を投影する光束を軸角度が異なる一対の光束に分割する光束分割部材と、一対の前記乱視検査用視標を分離した状態で前記乱視検査用視標像として前記被検眼に投影する視標投影部とを有することを特徴とする請求項１〜５のいずれかに記載の検眼装置。
【請求項７】
検査指示の入力を受け入れる第一の入力部を有し、
前記表示制御部は、前記第一の入力部が受け入れた前記検査指示を含む前記可変視標を前記表示部に表示させることを特徴とする請求項１〜６のいずれかに記載の検眼装置。
【請求項８】
前記検査指示の入力に対応する前記可変視標上の座標指示を受け入れる第二の入力部を有し、
前記制御部は、前記可変視標上の座標指示の座標位置を検出する座標位置検出部を有することを特徴とする請求項７に記載の検眼装置。
【発明の詳細な説明】
【技術分野】
【０００１】
本発明は、視標呈示光学系と制御部とを備えた検眼装置に関する。
【背景技術】
【０００２】
視標呈示光学系と制御部とを備えた検眼装置としては、従来、例えば特許文献１に開示されたような検眼装置が知られている。特許文献１に開示された従来の検眼装置の概要について、図１４及び図１５を参照して説明する。
【０００３】
図１４及び図１５は従来の検眼装置を説明する図であって、図１４は本体部５Ｒの右眼用光学系の概略ブロック図を示し、図１５はその右眼用光学系の詳細構成を示している。なお、本体部５Ｌの左眼用光学系の構成は右眼用光学系と同一であるので、その説明は省略することとし、右眼用光学系についてのみ説明する。
【０００４】
視標呈示光学系である右眼用光学系１２０は、図１４及び図１５に示すように、被検眼Ｅと本体部５Ｒとの距離合わせを行う視標投影光学系ｇ′及び複数個のリングパターンを被検眼Ｅの角膜に向けて投影するリングパターン投影光学系ｆ′を有する。
【０００５】
視標投影光学系ｇ′は、図１４に示すように、それぞれ一対のＬＥＤ１２１、１２２、及び一対の投影レンズ１２３、１２４を有している。視標投影光学系ｇ′のＬＥＤ１２１、１２２からの視標光束は、ミラー１２５を介して被検眼Ｅの角膜に斜め二方向から投影される。
【０００６】
リングパターン投影光学系ｆ′は、図１５に詳細を示すように、リング状照明光源１２７及びリングパターン１２６を有し、同心円状のリングパターン像がミラー１２５を介して被検眼Ｅの角膜に同様に投影される。そのリングパターン投影光学系ｆ′は前眼部照明光源に兼用されている。
【０００７】
右眼用光学系１２０は、さらに図１５に示すように、前眼部観察及び被検眼に対する本体部５Ｒのアライメントと角膜曲率分布測定とを行うための受光光学系ａ′、被検眼Ｅの屈折力を測定するための視標を眼底Ｅｆに投影する屈折力測定用視標投影光学系ｂ′、眼底Ｅｆからの反射光束を受光する受光光学系ｃ′、被検眼Ｅに固視及び雲霧視を行わせるための視標を投影する視標投影光学系ｄ′、及び、被検眼Ｅと本体部５Ｒの対物レンズ１１０の光軸と直交する方向、すなわち、上下左右方向のアライメントを行うための視標を投影する視標投影光学系ｅ′を有する。
【０００８】
視標投影光学系ｅ′は視標ＬＥＤ１２８、ダイクロイックミラー１２９からなっている。視標ＬＥＤ１２８からの視標光束は、ダイクロイックミラー１２９により反射され、ダイクロイックミラー１３０を透過し、対物レンズ１１０、ミラー１２５を経由して被検眼Ｅの角膜に投影される。
【０００９】
受光光学系ａ′は、対物レンズ１１０、ダイクロイックミラー１３０、絞り１３１、リレーレンズ１３２、１３３、ダイクロイックミラー１３４、結像レンズ１３５、撮像素子１３６を有する。絞り１３１は対物レンズ１１０の焦点位置に配設されて、いわゆるテレセントリック絞りとして用いられる。この絞り１３１の中心を通る光線は、被検眼上で対物レンズ１１０の光軸と平行である。
【００１０】
視標投影光学系ｅ′からの視標光束による角膜からの反射光、リングパターン投影光学系ｆ′のリングパターン１２６による角膜及び前眼部からの散乱反射光、視標投影光学系ｇ′からの視標光束による角膜からの反射光は、その受光光学系ａ′の各光学素子を経由して、撮像素子１３６に受像される。その撮像素子１３６の受像出力はモニタを有する制御部１３７に入力される。
【００１１】
視標投影光学系ｄ′は、ランプ１３８、コリメータレンズ１３９、回転板１４０、ミラー１４１、リレーレンズ１４２、ミラー１４３、被検眼視度調節用の移動レンズ１４４、リレーレンズ１４５、１４６、乱視補正用のバリアブルクロスシリンダ１４７、１４８、ミラー１４９、ダイクロイックミラー１５０を有する。
【００１２】
回転板１４０はモータ１５１によって回転駆動され、回転板１４０には固視標１５２、ランドルト環等が設けられている。固視標１５２は、ミラー１４１、リレーレンズ１４２、ミラー１４３、移動レンズ１４４、リレーレンズ１４５、１４６、バリアブルクロスシリンダ１４７、１４８、ダイクロイックミラー１５０、１３０、対物レンズ１１０、ミラー１２５を介して被検眼Ｅに投影される。
【００１３】
屈折力測定用視標投影光学系ｂ′は、測定光源ユニット１６４、リレーレンズ１５７、瞳リング絞り１５８、三角プリズム１５９を有する。測定光源ユニット１６４は眼屈折力測定用光源１５３、リレーレンズ１５４、円錐プリズム１５５、測定リングターゲット１５６を有する。瞳リング絞り１５８はエッチングによりレンズに形成されたリング状の絞りである。瞳リング絞り１５８は、被検眼Ｅの瞳と共役位置に配置されている。
【００１４】
被検眼Ｅの眼底Ｅｆで反射された測定光束は、ミラー１２５、対物レンズ１１０、ダイクロイックミラー１３０、１５０、三角プリズム１５９を経由して受光光学系ｃ′に導かれる。
【００１５】
受光光学系ｃ′は、三角プリズム１５９、ミラー１６０、リレーレンズ１６１、移動レンズ１６２、ミラー１６３を有する。移動レンズ１６２は被検眼Ｅの屈折力に対応して移動される。眼底Ｅｆで反射された測定光束は三角プリズム１５９の中央部１５９ａを通り、ミラー１６０で反射され、リレーレンズ１６１、移動レンズ１６２、ミラー１６３、ダイクロイックミラー１３４、結像レンズ１３５を経由して撮像素子１３６に結像される。三角プリズム１５９の反射面１５９ｂと反対側の面１５９ｃは瞳と共役位置に設けられ、瞳から出てきた眼底Ｅｆからの反射光束がその三角プリズム１５９の中心光軸部のみを通る光束となるようにエッチングが施されている。
【先行技術文献】
【特許文献】
【００１６】
【特許文献１】国際公開第２００３／０４１５７１号
【発明の概要】
【発明が解決しようとする課題】
【００１７】
しかしながら、特許文献１に開示された従来の検眼装置は、固視標１５２が固定された、つまり単一かつ不動のものであったため、例えば被検者の視線を固視標１５２の中心部、つまり無限遠に固視させるための被検者への誘導（例えば検者が被検者に声で指示をするなど）が必要であるとともに、実際に被検者の視線を固視させるまでに時間を要することもあった。
【００１８】
また、従来の検眼装置では、固視標の投影及びクロスシリンダの投影を共通の視標投影光学系ｄ′で行っていたので、この視標投影光学系ｄ′全体の構成が複雑になるおそれがあるとともに、クロスシリンダの投影を確実に行えないおそれがあった。
【００１９】
本発明は、上記の事情に鑑みて為されたもので、固視標への視線の固視を確実に行わせることができるとともに、クロスシリンダの投影を確実に行うことができる検眼装置を提供することにある。
【課題を解決するための手段】
【００２０】
前記目的を達成するために、本発明の検眼装置は視標呈示光学系と制御部とを備え、視標呈示光学系は、被検眼の視線の固視を行わせるための固視標を被検眼に呈示する固視標光学系と、この固視標光学系と光軸を共通にし、乱視検査用視標に対して所定の乱視量を発生させて一対の乱視検査用視標像を被検眼に呈示するクロスシリンダ光学系とを有し、固視標光学系は、固定固視標を被検眼に呈示する固定固視標光学系と、この固定固視標光学系と光軸を共通にし、表示部により表示される可変可能な可変視標を被検眼に呈示する可変視標光学系とを有し、制御部は、表示部に可変視標を表示させる表示制御部を有することを特徴とする。
【００２１】
ここで、固定固視標と可変視標とは、被検眼に呈示された状態で一体の図形をなすように構成することができる。また、固定固視標と可変視標とは、少なくともその中央部において重複して被検眼に呈示されるように構成することができる。さらに、表示制御部は、表示部に連続的に変化する可変視標を表示させる構成とすることができる。
【００２２】
また、固定固視標光学系は、固定固視標を照明する固視標用光源、及び／または固定固視標の周縁部に設けられた融像枠を照明する融像枠用光源、及び／または固定固視標の周辺部に設けられたグレア用光源を有する構成とすることができる。
【００２３】
さらに、クロスシリンダ光学系は、乱視検査用視標を投影する光束を軸角度が異なる一対の光束に分割する光束分割部材と、一対の乱視検査用視標を分離した状態で乱視検査用視標像として被検眼に投影する視標投影部とを有する構成とすることができる。
【００２４】
さらに、検査指示の入力を受け入れる第一の入力部を有し、表示制御部は、第一の入力部が受け入れた検査指示を含む可変視標を表示部に表示させる構成とすることができる。
【００２５】
そして、検査指示の入力に対応する可変視標上の座標指示を受け入れる第二の入力部を有し、制御部は、可変視標上の座標指示の座標位置を検出する座標位置検出部を有する構成とすることができる。
【発明の効果】
【００２６】
このように構成された本発明の検眼装置では、視標呈示光学系が、被検眼の視線の固視を行わせるための固視標を被検眼に呈示する固視標光学系と、この固視標光学系と光軸を共通にし、乱視検査用視標に対して所定の乱視量を発生させて一対の乱視検査用視標像を被検眼に呈示するクロスシリンダ光学系とを有し、固視標光学系が、固定固視標を被検眼に呈示する固定固視標光学系と、この固定固視標光学系と光軸を共通にし、表示部により表示される可変可能な可変視標を被検眼に呈示する可変視標光学系とを有し、制御部が、表示部に可変視標を表示させる表示制御部を有する。
【００２７】
従って、固定固視標光学系及び可変視標光学系により被検眼に呈示される固視標、さらにはクロスシリンダ光学系により被検眼に呈示される乱視検査用視標像を多様なものとすることができ、固視標への視線の固視を確実に行わせることができるとともに、クロスシリンダの投影を確実に行うことができる。
【００２８】
ここで、固定固視標と可変視標とは、被検眼に呈示された状態で一体の図形をなすように構成されているので、固視標への視線の固視をさらに確実に行わせることができる。
【００２９】
また、固定固視標と可変視標とは、少なくともその中央部において重複して被検眼に呈示されるので、固視標への視線の固視をさらに確実に行わせることができる。
【００３０】
さらに、表示制御部は、表示部に連続的に変化する可変視標を表示させるので、固定固視標光学系及び可変視標光学系により被検眼に呈示される固視標をより多様なものとすることができ、固視標への視線の固視をさらに確実に行わせることができる。
【００３１】
また、固定固視標光学系は、固定固視標を照明する固視標用光源、及び／または固定固視標の周縁部に設けられた融像枠を照明する融像枠用光源、及び／または固定固視標の周辺部に設けられたグレア用光源を有するので、固定固視標光学系及び可変視標光学系により被検眼に呈示される固視標をさらに多様なものとすることができ、固視標への視線の固視をさらに確実に行わせることができる。
【００３２】
さらに、クロスシリンダ光学系は、乱視検査用視標を投影する光束を軸角度が異なる一対の光束に分割する光束分割部材と、一対の乱視検査用視標を分離した状態で乱視検査用視標像として被検眼に投影する視標投影部とを有するので、クロスシリンダの投影を確実に行うことができる。
【００３３】
さらに、検査指示の入力を受け入れる第一の入力部を有し、表示制御部は、第一の入力部が受け入れた検査指示を含む可変視標を表示部に表示させるので、被検者の負担が軽減されると共に、被検者の誤答を抑制することができ、測定時間の短縮、作業性の向上を図ることができる。
【００３４】
そして、検査指示の入力に対応する可変視標上の座標指示を受け入れる第二の入力部を有し、制御部は、可変視標上の座標指示の座標位置を検出する座標位置検出部を有するので、被検者の負担が軽減されると共に、被検者の誤答を抑制することができ、測定時間の短縮、作業性の向上を図ることができる。
【図面の簡単な説明】
【００３５】
【図１】本実施の形態である検眼装置の全体構成を示す斜視図である。
【図２】本実施の形態である検眼装置の光学系の概略構成を示す図である。
【図３】本実施の形態である検眼装置の右眼用測定光学系の詳細構成を示す図である。
【図４】視標光学部の詳細構成を示す図である。
【図５】固定固視標光学系の光源の詳細構成を示す図である。
【図６】視標投影系におけるプリズム付クロスシリンダの作用を説明するための図である。
【図７】本実施の形態である検眼装置の全体構成を示すブロック図である。
【図８】本実施の形態である検眼装置の制御系の構成を示すブロック図である。
【図９】本実施の形態である検眼装置により被検眼に呈示される固定固視標の一例を示す図である。
【図１０】本実施の形態である検眼装置により被検眼に呈示される視標の一例を示す図である。
【図１１】本実施の形態である検眼装置により被検眼に呈示される視標の他の例を示す図である。
【図１２】本実施の形態である検眼装置の動作を説明するための図である。
【図１３】本実施の形態である検眼装置により被検眼に呈示される視標のまた他の例を示す図である。
【図１４】従来の検眼装置の光学系の概略構成を示す図である。
【図１５】従来の検眼装置の右眼用測定光学系の詳細構成を示す図である。
【発明を実施するための形態】
【００３６】
以下、本実施の形態である検眼装置を、図１から図１３を用いて説明する。先ず、検眼装置１０の全体構成を説明する。
（検眼装置の全体構成）
【００３７】
検眼装置１０は、図１に示すように、基台１１と検眼用テーブル１２と支柱１３とアーム１４と駆動機構１５と一対の測定ヘッド１６とを備える。検眼装置１０では、検眼用テーブル１２と正対する被検者が、両測定ヘッド１６の間に設けられた額当部１７に当てた状態で、被検者の被検眼の情報を取得する。なお、本明細書を通じて図１に記すようにＸ軸、Ｙ軸及びＺ軸を取り、被検者から見て、左右方向をＸ方向とし、上下方向（鉛直方向）をＹ方向とし、Ｘ方向及びＹ方向と直交する方向（測定ヘッド１６の奥行き方向）をＺ方向とする。
【００３８】
検眼用テーブル１２は、後述する検者用コントローラ２５や被検者用コントローラ２６を置いたり検眼に用いるものを置いたりするための机であり、基台１１により支持されている。検眼用テーブル１２は、Ｙ方向での位置（高さ位置）を調節可能に基台１１に支持されていてもよい。
【００３９】
支柱１３は、検眼用テーブル１２の後端部でＹ方向に伸びるように基台１１により支持されており、先端にアーム１４が設けられている。
【００４０】
アーム１４は、検眼用テーブル１２上で駆動機構１５を介して両測定ヘッド１６を吊り下げるもので、支柱１３から手前側へとＺ方向に伸びている。アーム１４は、支柱１３に対してＹ方向に移動可能とされている。なお、アーム１４は、支柱１３に対してＸ方向及びＺ方向に移動可能とされていてもよい。アーム１４の先端には、駆動機構１５により吊り下げられて一対の測定ヘッド１６が支持されている。
【００４１】
測定ヘッド１６は、被検者の左右の被検眼に個別に対応すべく対を為して設けられ、以下では個別に述べる際には左眼用測定ヘッド１６Ｌ及び右眼用測定ヘッド１６Ｒとする。左眼用測定ヘッド１６Ｌは、被験者の左側の被検眼の情報を取得し、右眼用測定ヘッド１６Ｒは、被験者の右側の被検眼の情報を取得する。左眼用測定ヘッド１６Ｌと右眼用測定ヘッド１６Ｒとは、Ｘ方向で双方の中間に位置する鉛直面に関して面対称な構成とされている。
【００４２】
各測定ヘッド１６には偏向部材であるミラー１８が設けられ、ミラー１８を通じて後述する測定光学系２１により対応する被検眼の情報が取得される。
【００４３】
各測定ヘッド１６には、被検眼の眼情報を取得する測定光学系２１（個別に述べる際には右眼用測定光学系２１Ｒ及び左眼用測定光学系２１Ｌとする）が設けられている。測定光学系２１の詳細構成については後述する。
【００４４】
両測定ヘッド１６は、アーム１４の先端から吊り下げられたベース部１９に設けられた駆動機構１５により移動可能に吊り下げられている。駆動機構１５は、本実施の形態では、図7に示すように、左眼用測定ヘッド１６Ｌに対応する左眼用鉛直駆動部２２Ｌ、左眼用水平駆動部２３Ｌ及び左眼用回旋駆動部２４Ｌと、右眼用測定ヘッド１６Ｒに対応する右眼用鉛直駆動部２２Ｒ、右眼用水平駆動部２３Ｒ及び右眼用回旋駆動部２４Ｒとを有する。
【００４５】
左眼用測定ヘッド１６Ｌに対応する各駆動部の構成と、右眼用測定ヘッド１６Ｒに対応する各駆動部の構成とは、Ｘ方向で双方の中間に位置する鉛直面に関して面対称な構成とされており、個別に述べる時を除くと単に鉛直駆動部２２、水平駆動部２３及び回旋駆動部２４と記す。
【００４６】
鉛直駆動部２２はベース部１９と水平駆動部２３との間に設けられ、ベース部１９に対して水平駆動部２３をＹ方向（鉛直方向）に移動させる。水平駆動部２３は鉛直駆動部２２と回旋駆動部２４との間に設けられ、鉛直駆動部２２に対して回旋駆動部２４をＸ方向及びＺ方向（水平方向）に移動させる。
【００４７】
鉛直駆動部２２及び水平駆動部２３は、例えばパルスモータのような駆動力を発生するアクチュエータと、例えば歯車の組み合わせやラック・アンド・ピニオン等のような駆動力を伝達する伝達機構とが設けられて構成される。水平駆動部２３は、例えばＸ方向とＺ方向とで個別にアクチュエータ及び伝達機構の組み合わせを設けることで、容易に構成できるとともに水平方向の移動の制御を容易なものにできる。
【００４８】
回旋駆動部２４は、水平駆動部２３に対して対応する測定ヘッド１６を、対応する被検眼の眼球回旋軸を中心に回転させる。回旋駆動部２４は、例えば、アクチュエータからの駆動力を受けた伝達機構が円弧状の案内溝に沿って移動する構成として、案内溝の中心位置が眼球回旋軸と一致されることで、被検眼の眼球回旋軸を中心に測定ヘッド１６を回転させる。
【００４９】
なお、回旋駆動部２４は、自らに設けた回転軸線回りに回転可能に測定ヘッド１６を支持するとともに水平駆動部２３と協働して測定ヘッド１６を支持する位置を変更しつつ回転させるものでもよい。
【００５０】
これにより、駆動機構１５は、各測定ヘッド１６を個別にまたは連動させて、Ｘ方向、Ｙ方向及びＺ方向に移動させることができるとともに、被検眼の眼球回旋軸を中心に回転させることができる。
【００５１】
（検眼装置の光学系）
図２は本実施の形態である検眼装置の光学系の概略構成を示す図、図３は右眼用測定光学系２１Ｒの詳細構成を示す図である。なお、左眼用測定光学系２１Ｌの構成は右眼用測定光学系２１Ｒと同一であるので、その説明は省略することとし、右眼用測定光学系２１Ｒについてのみ説明する。
【００５２】
右眼用測定光学系２１Ｒは、図３に示すように、観察系３１、視標投影系（固視標光学系）３２、眼屈折力測定系３３、自覚式検査系（クロスシリンダ光学系）３４、アライメント系３５、アライメント系３６及びケラト系３７を有する。
【００５３】
観察系３１は被検眼Ｅの前眼部を観察し、視標投影系３２は被検眼Ｅに視標を呈示し、眼屈折力測定系３３は眼屈折力の測定を行い、自覚式検査系３４は自覚検査を行う。
【００５４】
眼屈折力測定系３３は、本実施の形態では、被検眼Ｅの眼底Ｅｆに所定の測定パターンを投影する機能と、眼底Ｅｆに投影した測定パターンの像を検出する機能とを有する。また、自覚式検査系３４は、本実施の形態では、被検眼Ｅに視標を呈示する機能を有し、光学系を構成する光学素子を視標投影系３２と共用する。
【００５５】
アライメント系３５及びアライメント系３６は、被検眼Ｅに対する光学系の位置合わせ（アライメント）を行い、アライメント系３５が観察系３１の光軸に沿う方向（前後方向）の、アライメント系３６が当該光軸に直交する方向（上下方向、左右方向）のアライメントをそれぞれ行う。
【００５６】
観察系３１は、対物レンズ３１ａ、ダイクロイックフィルタ３１ｂ、ハーフミラー３１ｃ、リレーレンズ３１ｄ、ダイクロイックフィルタ３１ｅ、結像レンズ３１ｆ及び撮像素子（ＣＣＤ）３１ｇを有する。
【００５７】
観察系３１では、被検眼Ｅ（前眼部）で反射された光束を、対物レンズ３１ａを経て結像レンズ３１ｆにより撮像素子３１ｇ上に結像する。これにより、撮像素子３１ｇ上には、後述するケラトリング光束やアライメント光源３５ａの光束やアライメント光源３６ａの光束（輝点像Ｂｒ）が投光（投影）された前眼部像Ｅ′が形成される。制御部２７は、撮像素子３１ｇから出力される画像信号に基づく前眼部像Ｅ′等を表示部２９の表示画面２９ａに表示させる。
【００５８】
対物レンズ３１ａの前方には、ケラト系３７が設けられている。ケラト系３７は、ケラト板３７ａ及びケラトリング光源３７ｂを有する。ケラト板３７ａは、観察系３１の光軸に関して同心状のスリットが設けられた板状を呈し、対物レンズ３１ａの近傍に設けられている。ケラトリング光源３７ｂは、ケラト板３７ａのスリットに合わせて設けられている。
【００５９】
ケラト系３７では、点灯したケラトリング光源３７ｂからの光束がケラト板３７ａのスリットを経ることで、被検眼Ｅ（角膜Ｅｃ）に角膜形状の測定のためのケラトリング光束（角膜曲率測定用リング状視標）を投光（投影）する。ケラトリング光束は、被検眼Ｅの角膜Ｅｃで反射されることで、観察系３１により撮像素子３１ｇ上に結像される。これにより、撮像素子３１ｇがリング状のケラトリング光束の像（画像）を検出（受像）し、制御部２７が、その測定パターンの像を表示画面２９ａに表示させ、かつ当該画像（撮像素子３１ｇ）からの画像信号に基づき角膜形状（曲率半径）を周知の手法により測定する。
【００６０】
なお、本実施の形態では、角膜形状測定系として、リングスリットが１重から３重程度で角膜の中心付近の曲率測定を行うケラト板３７ａを用いる例（ケラト系３７）を示しているが、角膜形状を測定するものであれば、多重のリングを有し角膜全面の形状を測定可能なプラチド板を用いるものでもよく、他の構成でもよく、本実施の形態の構成に限定されない。
【００６１】
ケラト系３７（ケラト板３７ａ）の後方にはアライメント系３５が設けられている（図２参照）。アライメント系３５は、一対のアライメント光源３５ａ及び投影レンズ３５ｂを有し、各アライメント光源３５ａからの光束を各投影レンズ３５ｂで平行光束とし、ケラト板３７ａに設けたアライメント用孔を通して被検眼Ｅの角膜Ｅｃに当該平行光束を投光（投影）する。
【００６２】
制御部２７または検者は、角膜Ｅｃに投光（投影）された輝点（輝点像）に基づき、測定ヘッド１６を前後方向に移動させることで、観察系３１の光軸に沿う方向（前後方向）のアライメントを行う。この前後方向のアライメントは、センサ３１ｇ上のアライメント光源３５ａによる２個の点像の間隔とケラトリング像の直径の比を所定範囲内とするように測定ヘッド１６の位置を調整して行う。
【００６３】
ここで、制御部２７は、当該比率からアライメントのずれ量を求めて、このアライメントのずれ量を表示画面２９ａに表示させても良い。なお、前後方向のアライメントは、後述するアライメント光源３６ａによる輝点像Ｂｒのピントが合うように測定ヘッド１６の位置を調整することで行ってもよい。
【００６４】
また、観察系３１にはアライメント系３６が設けられている。アライメント系３６はアライメント光源３６ａ及び投影レンズ３６ｂを有し、ハーフミラー３１ｃ、ダイクロイックフィルタ３１ｂ及び対物レンズ３１ａを観察系３１と共用する。
【００６５】
アライメント系３６は、アライメント光源３６ａからの光束を、対物レンズ３１ａを経て平行光束として角膜Ｅｃに投光（投影）する。制御部２７または検者は、角膜Ｅｃに投光（投影）された輝点（輝点像）に基づき、測定ヘッド１６を前後方向に移動させることで、観察系３１の光軸に直交する方向（上下方向、左右方向）のアライメントを行う。
【００６６】
このとき、制御部２７は、輝点像Ｂｒが形成された前眼部像Ｅ′に加えて、アライメントマークの目安となるアライメントマークＡＬを表示画面２９ａに表示させる。制御部２７は、アライメントが完了すると測定を開始するように制御する構成としてもよい。
【００６７】
視標投影系３２は、被検眼Ｅを固視、雲霧させる為に視標を投影し、眼底Ｅｆに呈示する光学系である。視標投影系３２は、視標光学部３２Ａ（図４参照、図３には反射ミラー３２ｊのみ示している）、結像レンズ３２ｂ、合焦レンズ３２ｃ、リレーレンズ３２ｄ、ビームスプリッタ３２ｅ、フィールドレンズ３２ｆ、バリアブルクロスシリンダ（ＶＣＣ）レンズ３２ｇ、ミラー３２ｈ及びダイクロイックフィルタ３２ｉを有し、ダイクロイックフィルタ３１ｂ及び対物レンズ３１ａを観察系３１と共用する。
【００６８】
視標光学部３２Ａは、図４に示すように、固定固視標光学系３２Ｂ及び可変視標光学系３２Ｃを有する。固定固視標光学系３２Ｂは、反射ミラー３２ｊ、リレーレンズ３２ｋ、反射ミラー３２ｍ、ビームスプリッタ３２ｎ、固定固視標３２ｐ及び固定固視標用光源３２ｓを有する。また、可変視標光学系３２Ｃはディスプレイ（表示部）３２ｒを有し、反射ミラー３２ｊ、リレーレンズ３２ｋ、反射ミラー３２ｍ及びビームスプリッタ３２ｎを固定固視標光学系３２Ｂと共用する。
【００６９】
固定固視標３２ｐは、固視のために被検者に呈示する視標であり、被検眼Ｅがピントのズレ（ボケ具合）を明確に認識できる一定以上の視角を有する図柄である（図９参照）。固定固視標３２ｐは、本実施の形態では注視し易い箇所を含みかつ自然に遠方視ができる風景視標とする（図９参照）。このような固定固視標３２ｐは、平板状のガラスの表面に図９に示すような高精細な図柄を印刷または焼き付けることにより構成することができる。
【００７０】
固定固視標光源３２ｑは、図５に示すように、いずれもＬＥＤ等の白色点光源からなる固定固視標用光源３２ｓ、融像枠用光源３２ｔ及びグレア用光源３２ｕを有する。固定固視標用光源３２ｓは、内面が鏡面仕上げされた円錐状の反射板３２ｖの頂点部分に配置され、融像枠用光源３２ｔは、同様に内面が鏡面仕上げされた二重の円筒状の反射筒３２ｗの底面部分に配置され、固定固視標３２ｐの外周部分にリング状に設けられた融像枠３２ｘを背面から照射する。被検眼Ｅにグレア光を照射するグレア用光源３２ｕは、反射筒３２ｗの周方向に沿って所定間隔で複数設けられている。
【００７１】
なお、固定固視標光源３２ｑの組み合わせ、すなわち固定固視標用光源３２ｓ、融像枠用光源３２ｔ及びグレア用光源３２ｕの組み合わせは本実施の形態に限定されず、少なくともいずれか一つの光源を備えれば、その組み合わせに特段の制限はない。
【００７２】
ディスプレイ３２ｒは、他覚検査及び自覚検査を実施する際に、固視及び雲霧を行う風景チャートの他、ランドルト環やＥ文字視標等、検眼視標や、後述するクロスシリンダ（ＣＣ）視標像（乱視検査用視標像）を識別する為の複数の視標等を表示する。このディスプレイ３２ｒは、ＥＬ（エレクトロルミネッセンス）や液晶ディスプレイ（ＬＣＤ）で形成することができ、制御部２７の制御下で任意の画像を表示する。ディスプレイ３２ｒは、視標投影系３２（自覚式検査系３４）の光路上において被検眼Ｅの眼底Ｅｆと共役となる位置に光軸に沿って移動可能に設けられている。
【００７３】
合焦レンズ３２ｃは、駆動モータ（図示せず）により光軸に沿って進退駆動される。合焦レンズ３２ｃを被検眼Ｅ側に移動させることで、屈折力をマイナス側に変位させることができると共に、合焦レンズ３２ｃを被検眼Ｅから離反する方向に移動させることで、屈折力をプラス側に変位させることができる。従って、合焦レンズ３２ｃの進退駆動により、固定固視標３２ｐまたはディスプレイ３２ｒに表示された視標の呈示距離を変更可能、即ち視標像の呈示位置を変更可能であると共に、被検眼Ｅを固視、雲霧させることができる。
【００７４】
ＶＣＣレンズ３２ｇは、互いに正負の屈折力を有し、凸曲面を有するシリンダレンズと、凹曲面を有するシリンダレンズとから構成されている。２つのシリンダレンズは、図示しないパルスモータ等の駆動機構により、光軸を中心にそれぞれ独立して回転する様になっている。２つのシリンダレンズを相対的に回転させることで乱視量を調整でき、２つのシリンダレンズを一体に回転させることで乱視軸角度を調整することができる。従って、ＶＣＣレンズ３２ｇは、被検眼Ｅの乱視を打ち消す様に作用する。なお、ＶＣＣレンズ３２ｇは、例えば被検眼Ｅ上で０〜８Ｄの乱視量を発生させることができ、対物レンズ３１ａを介して被検眼Ｅの瞳孔と略共役な位置に配置される。
【００７５】
自覚式検査系３４は、ＣＣ視標像を眼底に呈示する光学系である。自覚式検査系３４は、ＬＥＤ３４ａ、拡散板３４ｂ、ＣＣ視標板（乱視検査用視標）３４ｃ、結像レンズ３４ｄ、光束分割部材としてのプリズム付クロスシリンダ（ＣＣ）レンズ（光束分割部材）３４ｅ、ミラー３４ｆ及びリレーレンズ３４ｇを有し、ビームスプリッタ３２ｅ、フィールドレンズ３２ｆ、ＶＣＣレンズ（視標投影部）３２ｇ、ミラー３２ｈ及びダイクロイックミラー３２ｊを視標投影系３２と共用する。
【００７６】
ＣＣ視標板３４ｃは、ガラス基板にＣＣ検査用の点群状のドット視標パターン４０（乱視検査用視標：図６参照）が描画されたものである。ＬＥＤ３４ａから白色光が照射され、白色光がＣＣ視標板３４ｃを透過し、被検眼ＥにＣＣ視標像が呈示される。また、ＣＣ視標板３４ｃに隣接して拡散板３４ｂが配置されている。この拡散板３４ｂにより、ＣＣ視標板３４ｃを透過する白色光の照明ムラが低減される。
【００７７】
ＬＥＤ３４ａ、拡散板３４ｂ及びＣＣ視標板３４ｃは、駆動モータ（図示せず）により、光軸に沿ってＣＣ視標ユニットとして一体に進退駆動される。ＬＥＤ３４ａ、拡散板３４ｂ及びＣＣ視標板３４ｃの進退駆動により、ＣＣ視標板３４ｃから投影されるＣＣ視標像の呈示距離を変更可能とすることができる。
【００７８】
なお、ＬＥＤ３４ａ、拡散板３４ｂ及びＣＣ視標板３４ｃを固定とし、合焦レンズを追加し、この合焦レンズを光軸に沿って進退駆動する構成としてもよい。又、ＬＥＤ３４ａ、拡散板３４ｂ及びＣＣ視標板３４ｃに替えて、視標光学部３２Ａと同様にディスプレイ３２ｒを用いてもよい。
【００７９】
プリズム付ＣＣレンズ３４ｅは、プリズムとクロスシリンダレンズとが一体化されたものである。プリズム付ＣＣレンズ３４ｅは、例えば±０．５Ｄ等のシリンダレンズが光軸と直交し、母線が光軸に対して４５°傾斜したプリズム３４ｈ、３４ｉを有している（図６参照）。また、プリズム付ＣＣレンズ３４ｅは、リレーレンズ３４ｇに対してＶＣＣレンズ３２ｇと略共役であり、即ち被検眼Ｅの瞳孔と略共役な位置となっている。
【００８０】
プリズム付ＣＣレンズ３４ｅの周囲には、例えばリングギア３４ｊが形成されている。このリングギア３４ｊは、駆動モータの出力軸に形成された駆動ギア３４ｋと噛合し、駆動モータを介してプリズム付ＣＣレンズ３４ｅが回転される。なお、駆動モータは、回転角を検出できるもの、あるいは駆動入力値に対応した回転をするもの、例えばパルスモータ３４ｍが用いられる。
【００８１】
図６はプリズム付ＣＣレンズ３４ｅの作用例を示したものである。図６に示すように、プリズム付ＣＣレンズ３４ｅにＣＣ視標板３４ｃからのドット視標パターン４０の光束が入射すると、この光束はプリズム３４ｈを透過した光束とプリズム３４ｉを透過した光束に分割される。分割された光束は軸角度が９０°異なった２つのＣＣ視標像４０ａ、４０ｂとして被検眼Ｅに分離した状態で呈示される。従って、プリズム付ＣＣレンズ３４ｅの作用例を示したものである。図６に示すように、プリズム付ＣＣレンズ３４ｅを設けることで、軸角度が９０°異なる２つのＣＣ視標像４０ａ、４０ｂを同時に観察できる。
【００８２】
眼屈折力測定系３３は、被検眼Ｅの眼底Ｅｆにリング状の測定パターンを投影するリング状光束投影系３３Ａ、及び眼底Ｅｆからのリング状の測定パターンの反射光を検出（受像）するリング状光束受光系３３Ｂを有する。
【００８３】
リング状光束投影系３３Ａは、レフ光源ユニット部３３ａ、リレーレンズ３３ｂ、瞳リング絞り３３ｃ、フィールドレンズ３３ｄ、穴開きプリズム３３ｅ及びロータリープリズム３３ｆを有し、ダイクロイックフィルタ３２ｉを視標投影系３２（自覚式検査系３４）と共用し、ダイクロイックフィルタ３１ｂ及び対物レンズ３１ａを観察系３１と共用する。レフ光源ユニット部３３ａは、例えばＬＥＤを用いたレフ測定用のレフ測定光源３３ｇ、コリメータレンズ３３ｈ、円錐プリズム３３ｉ及びリングパターン形成板３３ｊを有し、それらが制御部２７の制御下で眼屈折力測定系３３の光軸上を一体的に移動可能とされる。
【００８４】
リング状光束受光系３３Ｂは、穴開きプリズム３３ｅの穴部３３ｐ、フィールドレンズ３３ｑ、反射ミラー３３ｒ、リレーレンズ３３ｓ、合焦レンズ３３ｔ及び反射ミラー３３ｕを有し、対物レンズ３１ａ、ダイクロイックフィルタ３１ｂ、ダイクロイックフィルタ３１ｅ、結像レンズ３１ｆ及び撮像素子３１ｇを観察系３１と共用し、ダイクロイックフィルタ３２ｉを視標投影系３２（自覚式検査系３４）と共用し、ロータリープリズム３３ｆ及び穴開きプリズム３３ｅをリング状光束投影系３３Ａと共用する。
【００８５】
次に、眼屈折力測定モードの際の動作について説明する。制御部２７はレフ測定光源３３ｇを点灯させ、かつリング状光束投影系３３Ａのレフ光源ユニット部３３ａとリング状光束受光系３３Ｂの合焦レンズ３３ｔとを光軸方向に移動させる。リング状光束投影系３３Ａでは、レフ光源ユニット部３３ａがリング状の測定パターンを出射し、その測定パターンをリレーレンズ３３ｂ、瞳リング絞り３３ｃ及びフィールドレンズ３３ｄを経て穴開きプリズム３３ｅに進行させ、その反射面３３ｖで反射し、ロータリープリズム３３ｆを経てダイクロイックフィルタ３２ｉに導く。リング状光束投影系３３Ａでは、その測定パターンをダイクロイックフィルタ３２ｉ及びダイクロイックフィルタ３１ｂを経て対物レンズ３１ａに導くことで、被検眼Ｅの眼底Ｅｆにリング状の測定パターンを投影する。
【００８６】
リング状光束受光系３３Ｂでは、眼底Ｅｆに形成されたリング状の測定パターンを対物レンズ３１ａで集光し、ダイクロイックフィルタ３１ｂ、ダイクロイックフィルタ３２ｉ及びロータリープリズム３３ｆを経て穴開きプリズム３３ｅの穴部３３ｐに進行させる。リング状光束受光系３３Ｂでは、その測定パターンをフィールドレンズ３３ｑ、反射ミラー３３ｒ、リレーレンズ３３ｓ、合焦レンズ３３ｔ、反射ミラー３３ｕ、ダイクロイックフィルタ３１ｅ及び結像レンズ３１ｆを経ることで、撮像素子３１ｇに結像させる。これにより、撮像素子３１ｇがリング状の測定パターンの像を検出し、制御部２７は、その測定パターンの像を表示画面２９ａに表示させ、その画像（撮像素子３１ｇ）からの画像信号に基づき、眼屈折力としての球面度数、円柱度数、軸角度を周知の手法により測定する。
【００８７】
また、眼屈折力測定モードでは、制御部２７は、視標投影系３２において、固定固視標光源３２ｑを点灯させて固定固視標３２ｐ（図８参照）を表示させるとともに、ディスプレイ３２ｒに後述する可変視標を表示させる。固定固視標３２ｐ及びディスプレイ３２ｒからの光束は、ビームスプリッタ３２ｎ、反射ミラー３２ｍ、リレーレンズ３２ｋ、反射ミラー３２ｊ、結像レンズ３２ｂ、合焦レンズ３２ｃ、リレーレンズ３２ｄ、ビームスプリッタ３２ｅ、フィールドレンズ３２ｆ、ＶＣＣレンズ３２ｇ、ミラー３２ｈ、ダイクロイックフィルタ３２ｉ、ダイクロイックフィルタ３１ｂ、対物レンズ３１ａを経て、被検眼Ｅの眼底Ｅｆに投光（投影）する。検者または制御部２７は、呈示した固定固視標３２ｐ等を被検者に固視させた状態でアライメントを行い、眼屈折力（レフ）の仮測定の結果に基づいて被検眼Ｅの遠点に合焦レンズ３２ｃを移動させた後にさらに雲霧状態として、調節休止時の眼屈折力を測定する。
【００８８】
次に、自覚検査モードの際の動作について説明する。制御部２７は、眼屈折力測定モードで測定した被検眼Ｅの眼屈折力に適合する位置にＣＣ視標ユニット、すなわちＬＥＤ３４ａ、拡散板３４ｂ及びＣＣ視標板３４ｃを一体に移動させ、眼屈折力測定モードで測定した被検眼Ｅの乱視状態を矯正する姿勢にＶＣＣレンズ３２ｇを設定する。また、プリズム付ＣＣレンズ３４ｅを、ＶＣＣレンズ３２ｇによって発生されている乱視の軸角度に合わせて回転させる。
【００８９】
次に、ＬＥＤ３４ａを点灯させ、また、ディスプレイ３２ｒに後述する可変視標を表示させる。ＬＥＤ３４ａから発せられた白色光は、ＣＣ視標板３４ｃを透過し、プリズム付ＣＣレンズ３４ｅで分割され、分離された点群状のＣＣ視標像４０ａ、４０ｂ（図６参照）として被検眼Ｅに呈示される。
【００９０】
この時、被検者は、例えば図１１（ｂ）に示すように、所定の位置関係で配置された（図１１（ｂ）では斜めに並んで配置された）ＣＣ視標像４０ａ、４０ｂを確認することができる。配置の角度はプリズム付ＣＣレンズ３４ｅの回転角度、即ち被検眼Ｅの軸角度に一致する。なお、ＣＣ視標像４０ａ、４０ｂはプリズム付ＣＣレンズ３４ｅの影響でボケた状態で呈示されている。ＣＣ視標像４０ａ、４０ｂのボケ具合を比較して、双方のボケがぼぼ同じになるようにＶＣＣレンズ３２ｇの相対角度を調整することで、正確な乱視量、軸角度を決定することができる。
【００９１】
検者はどちらのＣＣ視標像４０ａ、４０ｂが明瞭に（はっきりと）見えるかを問いかけ、被検者は、ＣＣ視標像４０ａ、４０ｂのどちらが明瞭に視認できるかを判断する。ＣＣ視標像４０ａ、４０ｂが同程度にボケて見える（明瞭である）と判断した場合には、被検者はその旨を検者に応答し、ＣＣテストが完了する。尚、被検者の応答は、音声であってもよいし、後述する被検者用コントローラ２６に設けられた傾動可能なレバー等であってもよい。
【００９２】
また、ＣＣ視標像４０ａ、４０ｂの明瞭さが異なる場合には、被検者ははっきりと視認できたＣＣ視標像４０ａ、４０ｂを検者に応答する。検者は、被検者の応答に基づき、条件を替えて再度被検者に確認する。即ち、ＶＣＣレンズ３２ｇを相対的に回転し、乱視量及び乱視軸角度を調整する。プリズム付ＣＣレンズ３４ｅは、ＶＣＣレンズ３２ｇにより発生する軸角度に合わせて回転する。そして、被検者がＣＣ視標像４０ａ、４０ｂが同程度であると応答する迄、上述の工程を繰り返す。
【００９３】
以上の工程により、制御部２７は、ＶＣＣレンズ３２ｇの相対回転量とプリズム付ＣＣレンズ３４ｅの一体回転量とに基づき、被検眼Ｅの乱視量と乱視軸角度を演算することができる。これにより、乱視量と乱視軸角度を測定するＣＣテストが完了する。以降、レッドグリーンテスト、両眼開放検査等を実施し、自覚検査を終了する。
【００９４】
なお、この自覚検査モードでは、グレア検査（グレアテスト）を行う場合、制御部２７の制御下でグレア用光源３２ｕを点灯させて自覚検査を行う。
【００９５】
なお、眼屈折力測定系３３、自覚式検査系３４、アライメント系３５、アライメント系３６及びケラト系３７等の構成や、眼屈折力（レフ）、自覚検査及び角膜形状（ケラト）の測定原理等は、公知であるので、詳細な説明は省略する。
【００９６】
（検眼装置の制御系）
基台１１には、検眼装置１０の各部を統括的に制御する制御部２７が設けられている（図１参照）。制御部２７には、図８に示すように、上記した測定光学系２１と、駆動機構１５としての鉛直駆動部２２、水平駆動部２３及び回旋駆動部２４とに加えて、検者用コントローラ（第一の入力部）２５と被検者用コントローラ（第二の入力部）２６と記憶部２８と表示部２９とが接続されている。
【００９７】
検者用コントローラ２５は、検者が検眼装置１０を操作するために用いられる。被検者用コントローラ２６は、被検眼の各種の眼情報の取得の際に、被検者が応答するために用いられる。検者用コントローラ２５及び被検者用コントローラ２６は、いずれも、例えばキーボード、マウス、ジョイスティック等の入力装置を備え、また、検者用コントローラ２５については、後述する表示部２９がタッチパネル式であれば、このタッチパネルも含まれうる。制御部２７は、検者用コントローラ２５や被検者用コントローラ２６とそれぞれ有線または無線の通信路を介して接続されている。
【００９８】
制御部２７は、接続された記憶部２８または内蔵する内部メモリ２７ａに記憶したプログラムを例えばＲＡＭ上に展開することにより、適宜検者用コントローラ２５や被検者用コントローラ２６に対する操作に応じて、検眼装置１０の動作を統括的に制御する。本実施の形態では、内部メモリ２７ａはＲＡＭ等で構成され、記憶部２８は、ＲＯＭやＥＥＰＲＯＭ等で構成される。また、制御部２７は、ディスプレイ３２ｒに可変可能な視標（可変視標）を表示させる表示制御部２７ｂを備える。
【００９９】
表示部２９は、観察系３１に設けられた撮像素子（ＣＣＤ）３１ｇから出力される画像信号に基づく前眼部像Ｅ′等を表示画面２９ａ（図２参照）に表示するものである。
【０１００】
なお、既に詳述したように、測定光学系２１は、観察系３１、視標投影系３２、眼屈折力測定系３３、自覚式検査系３４、アライメント系３５、アライメント系３６及びケラト系３７を有する。
【０１０１】
（検眼装置の固視標の一例）
図１０及び図１１は、本実施の形態である検眼装置１０により被検眼Ｅに呈示される固視標の一例を示す図である。図１０及び図１１に示す固視標は、視標投影系３２の視標光学部３２Ａの固定固視標３２ｐとディスプレイ３２ｒとによる固視標像、及び自覚式検査系３４のＣＣ視標像４０ａ、４０ｂによる固視標像が合体して被検眼Ｅの眼底Ｅｆに投影されたものである。
【０１０２】
まず、図１０（ａ）は、視標投影系３２の視標光学部３２Ａの固定固視標３２ｐとディスプレイ３２ｒとを用いた固視標の例である。図１０（ａ）に示す固視標では、制御部２７が、固定固視標用光源３２ｓを点灯させることで、固定固視標３２ｐにより被検眼の視線の無限遠位置（つまり中央位置）に太陽５０を表示させ、また、ディスプレイ３２ｒにより下位置から中央位置に延びる道路５１及び中央位置から下位置に向けて移動するセンターライン５２を表示させるとともに、同様にディスプレイ３２ｒにより中央位置から左右位置に向けて移動するビル５３を表示させている。
【０１０３】
これにより、被検者に、無限遠に位置する太陽に向けて道路５１上を移動（走行）しているかのような固視標を表示させることができ、被検者の視線を無限遠に固視させることを手助けすることができる。
【０１０４】
好ましくは、制御部２７は、左被検眼ＥＬ（図２参照）から所定かつ異なる距離だけ離れた位置に相当する位置にそれぞれのビル５３が表示されるように、所定距離に相当する視差を与えた状態で左眼用測定光学系２１Ｌのディスプレイ３２ｒにそれぞれのビル５３を表示させ、同様に、右被検眼ＥＲ（図２参照）から所定かつ異なる距離だけ離れた位置に相当する位置にそれぞれのビル５３が表示されるように、所定距離に相当する視差を与えた状態で右眼用測定光学系２１Ｒのディスプレイ３２ｒにそれぞれのビル５３を表示させる。これにより、左右の測定光学系２１Ｒ、Ｌのディスプレイ３２ｒに表示されたビル５３が、中央位置に近いビル５３が無限遠に、左右位置に近いビル５３が手前に見えるように立体視されて被検眼に呈示される。
【０１０５】
次に、図１０（ｂ）も、視標投影系３２の視標光学部３２Ａの固定固視標３２ｐとディスプレイ３２ｒとを用いた固視標の例である。図１０（ｂ）に示す固視標では、制御部２７が、固定固視標用光源３２ｓを点灯させることで、固定固視標３２ｐにより被検眼の視線の無限遠位置（つまり中央位置）に太陽５０を表示させるとともに、中央位置から下位置にかけての領域に海５４及び船５５を表示させ、また、ディスプレイ３２ｒにより左右方向に延びかつ図中左から右に向けて移動するガードレール５６を表示させている。
【０１０６】
これにより、被検者に、無限遠に位置する太陽を見ながら、ガードレール５６手前の道路（図略）を右から左に移動（走行）しているかのような固視標を表示させることができ、被検者の視線を無限遠に固視させることを手助けすることができる。
【０１０７】
好ましくは、制御部２７は、左被検眼ＥＬ（図２参照）から所定距離だけ離れた位置に相当する位置にガードレール５６が表示されるように、所定距離に相当する視差を与えた状態で左眼用測定光学系２１Ｌのディスプレイ３２ｒにガードレール５６を表示させ、同様に、右被検眼ＥＲ（図２参照）から所定かつ異なる距離だけ離れた位置に相当する位置にガードレール５６が表示されるように、所定距離に相当する視差を与えた状態で右眼用測定光学系２１Ｒのディスプレイ３２ｒにガードレール５６を表示させる。
【０１０８】
これにより、左右の測定光学系２１Ｒ、Ｌのディスプレイ３２ｒに表示されたガードレール５６が所定距離だけ離れた位置にあるように立体視されて被検眼に呈示される。
【０１０９】
次に、図１０（ｃ）は、視標投影系３２の視標光学部３２Ａの固定固視標３２ｐと融像枠３２ｘとを用いた固視標の例である。図１０（ｃ）に示す固視標では、制御部２７が、固定固視標用光源３２ｓを点灯させることで、図８に示すような風景チャート（固定固視標３２ｐ）を表示させ、また、融像枠用光源３２ｔを点灯させることで、この風景チャートの周縁部に融像枠３２ｘを表示させている。これにより、左右の被検眼に呈示される固視標に対して強く融像を起こすことができる。
【０１１０】
次に、図１０（ｄ）は、視標投影系３２の視標光学部３２Ａの固定固視標３２ｐとグレア用光源３２ｕとを用いた固視標の例である。図１０（ｄ）に示す固視標では、制御部２７が、固定固視標用光源３２ｓを点灯させることで、図９に示すような風景チャート（固定固視標３２ｐ）を表示させ、また、グレア用光源３２ｕを点灯させている。これにより、被検眼の視線の固視を行わせつつ、グレアテスト（グレア検査）を行うことができる。
【０１１１】
次に、図１１（ａ）は、視標投影系３２の視標光学部３２Ａのディスプレイ３２ｒと融像枠３２ｘとを用いた固視標の例である。図１１（ａ）に示す固視標では、制御部２７が、ディスプレイ３２ｒにより乱視チャート５７及びポインタ５８を表示させ、また、融像枠用光源３２ｔを点灯させることで、乱視チャート５７の周縁部に融像枠３２ｘを表示させている。
【０１１２】
乱視チャート５７がディスプレイ３２ｒにより表示されているので、この乱視チャート５７を任意に回転することができ、また、乱視チャート５７の表示形状を任意に変更することができる。また、検者用コントローラ２５を用いてこのポインタ５８の表示位置を任意の位置にすることができ、これにより、被検者に対して乱視チャート５７の注視位置を指示することができる。
【０１１３】
そして、図１１（ｂ）は、自覚式検査系３４のＣＣ視標像４０ａ、４０ｂと視標光学部３２Ａのディスプレイ３２ｒと融像枠３２ｘとを用いた固視標の例である。図１１（ｂ）に示す固視標では、制御部２７がＬＥＤ３４ａを点灯させることで、ＣＣ視標板３４ｃからの光束をプリズム付ＣＣレンズ３４ｅで分割させ、分離された点群状のＣＣ視標像４０ａ、４０ｂを被検眼Ｅに呈示させることができる。また、ディスプレイ３２ｒにより、これらＣＣ視標像４０ａ、４０ｂの近傍に数字等の識別用視標５９ａ、５９ｂ及びポインタ５８を表示させている。さらに、融像枠用光源３２ｔを点灯させることで、ＣＣ視標像４０ａ、４０ｂの周縁部に融像枠３２ｘを表示させている。
【０１１４】
識別用視標５９ａ、５９ｂはプリズム付ＣＣレンズ３４ｅを透過しない為、双方とも同等の「見え」となる。また、ＣＣ視標像４０ａ、４０ｂはプリズム付ＣＣレンズ３４ｅの影響で、いずれかの視標像もしくは双方が同じ様にボケて視認される。従って、被検眼Ｅが識別用視標５９ａ、５９ｂに注目して調節してしまったり、ＣＣ視標像４０ａ、４０ｂではなく識別用視標５９ａ、５９ｂに着目して、「両方ともはっきり見える」と誤認してしまう等の不具合を回避することができる。
【０１１５】
従って、被検者は、ＣＣ視標像４０ａ、４０ｂの配置に拘わらず、明瞭に視認されているＣＣ視標像４０ａ、４０ｂの近傍に位置する識別用視標５９ａ、５９ｂを答えるだけでよいので、被検者の負担が軽減されると共に、被検者の誤答を抑制することができ、測定時間の短縮、作業性の向上を図ることができる。また、検者用コントローラ２５や被検者用コントローラ２６を用いてこのポインタ５８の表示位置を任意の位置にすることができ、これにより、被検者に対してＣＣ視標像４０ａ、４０ｂのいずれか一方を指示してその見え具合を被検者に確認させることができる。
【０１１６】
なお、制御部２７は、プリズム付ＣＣレンズ３４ｅの回転角の変化に基づき、ディスプレイ３２ｒに表示される識別用視標５９ａ、５９ｂの呈示位置を変更可能となっている。即ち、被検眼Ｅに対するＣＣ視標像４０ａ、４０ｂの呈示位置の変化に追従させて、ディスプレイ３２ｒに表示された識別用視標５９ａ、５９ｂの呈示位置を変更可能となっている。
【０１１７】
なお、識別用視標５９ａ、５９ｂは、図１１（ｂ）に示すような数字に限らず、LeftとRightの頭文字を取ったＬとＲとしてもよい。また、左右、上下等、漢字を識別用視標５９ａ、５９ｂとしてもよい。さらに、識別用視標５９ａ、５９ｂを例えば赤と緑の円とし、この円でＣＣ視標像４０ａ、４０ｂを囲む様にしてもよい。
【０１１８】
そして、識別用視標５９ａ、５９ｂの態様は、上記したパターンに限られるものではなく、ＣＣ視標像４０ａ、４０ｂを識別可能となるものであればどの様なものでもよい。例えば、識別用視標５９ａ、５９ｂを漢数字やローマ数字としてもよいし、形状の異なる図形としてそれぞれＣＣ視標像４０ａ、４０ｂを囲むようにしてもよい。更に、識別用視標５９ａ、５９ｂは、形状の異なる矢印等の記号であってもよいのは言う迄もない。
【０１１９】
以上、本実施の形態である検眼装置１０により被検眼Ｅに呈示される固視標の一例について図１０及び図１１を参照して説明してきたが、本実施の形態である検眼装置１０により呈示可能な固視標は図示例に限定されない。
【０１２０】
一例として、制御部２７がディスプレイ３２ｒにより各種メッセージを示すアイコン、例えば「ここを見て下さい」「どちらがよく見えますか」などのメッセージを示すアイコンを固定固視標３２ｐの一部やＣＣ視標像４０ａ、４０ｂの少なくとも一方の近傍に表示することで、被検者に回答を求めてもよい。
【０１２１】
例えば、図１１（ｂ）に示す例において、被検者用コントローラ２６のマウスと連動して動くポインタ５８と、例えば「変わらない」と表示されたアイコン（図略）とをディスプレイ３２ｒに表示させる。被検者は、ＣＣ視標像４０ａ、４０ｂのうち、はっきり見えるＣＣ視標像４０ａ、４０ｂの上にポインタ５８を移動させ、クリックする。あるいは、ＣＣ視標像４０ａ、４０ｂが同じように見える場合には、アイコン上にポインタ５８を移動させ、クリックする。
【０１２２】
あるいは、被検者用コントローラ２６に入カバッドを接続し、入力パッドの入力位置と連動して移動するポインタ５８と、「変わらない」と表示されたアイコンとを表示させる様にしてもよい。被検者は、ＣＣ視標像４０ａ、４０ｂのうち、はっきり見えるＣＣ視標像４０ａ、４０ｂの上にポインタ５８を移動させ、丸で囲む。或は、ＣＣ視標像４０ａ、４０ｂが同じように見える場合には、アイコンを丸で囲むかタッチする。
【０１２３】
制御部２７に設けられた座標位置検出部は、クリック等により入力信号が発せられた際のポインタ５８のディスプレイ３２ｒ上の位置に基づき、条件の変更、ＣＣテストの終了等、各種処理を自動で実施することが好ましい。
【０１２４】
また、図９に示すような固定固視標３２ｐにおいて、被検者の視線の無限遠位置（中央位置）に存在する家の屋根が例えば赤色に表示されていた場合、ディスプレイ３２ｒによりこの屋根の位置に赤色とは異なる色で屋根形状の視標を表示することで、被検者に呈示される固視標の屋根の色を変更することができる。あるいは、ディスプレイ３２ｒにより屋根の位置に赤色の屋根形状の視標を表示することで、屋根の明るさを増加させることもでき、この視標を点滅させると屋根を点滅表示させることができる。このように、本実施の形態である検眼装置１０によれば、固定固視標３２ｐの風景チャートの色の変更、輝度調整等を行うことができる。
（検眼装置の固視標の他の例）
【０１２５】
図１３は、本実施の形態である検眼装置１０により被検眼Ｅに呈示される固視標の他の例を示す図である。図１２に示す固視標は、視標投影系３２の視標光学部３２Ａの固定固視標３２ｐとディスプレイ３２ｒの可変視標とによる固視標像が合体して被検眼Ｅの眼底Ｅｆに投影されたものである。
【０１２６】
より詳細には、図１３（ａ）は左眼用測定光学系２１Ｌの固定固視標３２ｐとディスプレイ３２ｒの可変視標とによる固視標像が合体して被検眼Ｅの眼底Ｅｆに投影されたものであり、図１３（ｂ）は右眼用測定光学系２１Ｒの固定固視標３２ｐとディスプレイ３２ｒの可変視標とによる固視標像が合体して被検眼Ｅの眼底Ｅｆに投影されたものである。
【０１２７】
図１３に示す例では、固定固視標３２ｐは、いくつかの検査距離（例えば３０ｃｍ〜無限遠）に応じた視標（例えば検査距離３０ｃｍであれば本、無限遠であれば海）が複数表示されたものである。そして、本実施の形態である検眼装置１０では、指定された検査距離に被検者の視線を固視させる動作を行う。
【０１２８】
例えば、検者が検者用コントローラ２５に対して操作を行うことにより検査距離Ｌが指定されると、制御部２７は、図１２に示すように、被検者の瞳孔間距離ＰＤと、検査距離Ｌとに基づいて左眼用測定光学系２１Ｌ及び右眼用測定光学系２１Ｒの回旋角θを求める。ここで、瞳孔間距離ＰＤは、標準距離であってもよいし、左被検眼ＥＬの瞳孔中心（重心）位置と右被検眼ＥＲの瞳孔中心（重心）位置との間の距離を測定して得られたものであってもよい。標準距離は、模型眼により規定された距離であってよい。模型眼には、Ｇｕｌｌｓｔｒａｎｄの模型眼などがある。なお、検査距離は、制御部２７があらかじめ決められた検査シーケンスに従って指定してもよいし、被検者が被検者用コントローラ３１０に対して操作を行って指定してもよい。
【０１２９】
瞳孔間距離ＰＤの半分の距離をｈＰＤとすると、回旋角θは、式（１）により求められる。
【数１】
2019062935.tif 000003
【０１３０】
制御部２７は、式（１）により求められた回旋角θだけ眼球回旋点を中心に左眼用測定光学系２１Ｌ及び右眼用測定光学系２１Ｒのそれぞれを逆方向に回旋させる。それにより、被検眼を輻輳（又は開散）させ、検査距離Ｌの位置に被検者の視線を固視させることができる。
【０１３１】
また、図１３に示す例では、固定固視標３２ｐに重畳して、ディスプレイ３２ｒにより一対の可変視標６０Ｒ、６０Ｌが表示されている。上述の検査距離Ｌが指定されると、制御部２７は、一対の可変視標６０Ｒ、６０Ｌを左眼用測定光学系２１Ｌ及び右眼用測定光学系２１Ｒのディスプレイ３２ｒにそれぞれ同時に表示させる。可変視標６０Ｒ、６０Ｌは、左被検眼ＥＬ及び右被検眼ＥＲのそれぞれがモニタＭを注視するように提示される。一対の可変視標６０Ｒ、６０Ｌは、検査距離Ｌに応じた視差が設けられて被検眼に呈示される。
【０１３２】
制御部２７は、検査距離Ｌに相当する位置の近傍に可変視標６０Ｒ、６０Ｌを提示するように右眼用測定光学系２１Ｒ及び左眼用測定光学系２１Ｌのディスプレイ３２ｒを制御する。このとき、制御部２７は、可変視標６０Ｒ、６０Ｌの少なくとも一部の形態（例えば、形状、サイズ、向き等）を変化させるようにディスプレイ３２ｒを制御することが可能である。例えば、制御部２７は、可変視標６０Ｒ、６０Ｌの翼の部分が上下に動くようにディスプレイ３２ｒを制御する。それにより、被検者に可変視標６０Ｒ、６０Ｌの位置を認識させやすくなり、右被検眼ＥＲ及び左被検眼ＥＬを可変視標６０Ｌに固視させやすくすることが可能になる。
【０１３３】
また、制御部２７は、可変視標６０Ｒ、６０Ｌの提示位置に応じて、固定固視標３２ｐに対してぼかし処理を施すことが可能である。制御部２７は、ぼかし処理のみの画像を右眼用測定光学系２１Ｒ及び左眼用測定光学系２１Ｌのディスプレイ３２ｒに表示させる。例えば、制御部２７は、可変視標６０Ｒ、６０Ｌの提示位置から所定の距離だけ離れた他の検査距離に相当する視標が描出された領域に対してぼかし処理を施す。また、制御部２７は、可変視標６０Ｒ、６０Ｌの位置の近傍だけ（可変視標６０Ｒ、６０Ｌの位置が含まれる所定の検査距離に対応する画像だけ）を拡大して右被検眼ＥＲ及び左被検眼ＥＬに提示してもよい。
（検眼装置の効果）
【０１３４】
このように構成された本実施の形態である検眼装置１０では、視標呈示光学系が、被検眼の視線の固視を行わせるための固視標を被検眼に呈示する視標投影系（固視標光学系）３２と、この視標投影系３２と光軸を共通にし、ＣＣ視標板（乱視検査用視標）３４ｃに対して所定の乱視量を発生させて一対のＣＣ視標像（乱視検査用視標像）４０ａ、４０ｂを被検眼に呈示する自覚式検査系（クロスシリンダ光学系）３４とを有し、視標投影系３２が、固定固視標３２ｐを被検眼に呈示する固定固視標光学系３２Ｂと、この固定固視標光学系３２Ｂと光軸を共通にし、表示部２９により表示される可変可能な可変視標を被検眼に呈示する可変視標光学系３２Ｃとを有し、制御部２７が、表示部２９に可変視標を表示させる表示制御部２７ｂを有する。
【０１３５】
従って、固定固視標光学系３２Ｂ及び可変視標光学系３２Ｃにより被検眼に呈示される固視標、さらには自覚式検査系３４により被検眼に呈示されるＣＣ視標像４０ａ、４０ｂを多様なものとすることができ、固視標への視線の固視を確実に行わせることができるとともに、クロスシリンダの投影を確実に行うことができる。
【０１３６】
ここで、固定固視標３２ｐと可変視標とは、被検眼に呈示された状態で一体の図形をなすように構成されているので、固視標への視線の固視をさらに確実に行わせることができる。
【０１３７】
また、固定固視標３２ｐと可変視標とは、少なくともその中央部において重複して被検眼に呈示されるので、固視標への視線の固視をさらに確実に行わせることができる。
【０１３８】
さらに、表示制御部２７ｂは、表示部２９に連続的に変化する可変視標を表示させるので、固定固視標光学系３２Ｂ及び可変視標光学系３２Ｃにより被検眼に呈示される固視標をより多様なものとすることができ、固視標への視線の固視をさらに確実に行わせることができる。
【０１３９】
また、固定固視標光学系３２Ｂは、固定固視標３２ｐを照明する固定固視標用光源３２ｓと、固定固視標３２ｐの周縁部に設けられた融像枠３２ｘを照明する融像枠用光源３２ｔと、固定固視標３２ｐの周辺部に設けられたグレア用光源３２ｕとを有するので、固定固視標光学系３２Ｂ及び可変視標光学系３２Ｃにより被検眼に呈示される固視標をさらに多様なものとすることができ、固視標への視線の固視をさらに確実に行わせることができる。
【０１４０】
さらに、自覚式検査系３４は、ＣＣ視標板３４ｃを投影する光束を軸角度が異なる一対の光束に分割するプリズム付ＣＣレンズ（光束分割部材）３４ｅと、一対のＣＣ視標板３４ｃを分離した状態でＣＣ視標像（乱視検査用視標像）４０ａ、４０ｂとして被検眼に投影するＶＣＣレンズ（視標投影部）３２ｇとを有するので、クロスシリンダの投影を確実に行うことができる。
【０１４１】
さらに、検査指示の入力を受け入れる検者用コントローラ（第一の入力部）２５を有し、表示制御部２７ｂは、検者用コントローラ２５が受け入れた検査指示を含む可変視標を表示部２９に表示させるので、被検者の負担が軽減されると共に、被検者の誤答を抑制することができ、測定時間の短縮、作業性の向上を図ることができる。
【０１４２】
そして、検査指示の入力に対応する可変視標上の座標指示を受け入れる被検者用コントローラ（第二の入力部）２６を有し、制御部２７は、可変視標上の座標指示の座標位置を検出する座標位置検出部を有するので、被検者の負担が軽減されると共に、被検者の誤答を抑制することができ、測定時間の短縮、作業性の向上を図ることができる。
【０１４３】
以上、図面を参照して、本発明の実施の形態を詳述してきたが、具体的な構成は、この実施の形態及び実施例に限らず、本発明の要旨を逸脱しない程度の設計的変更は、本発明に含まれる。
【０１４４】
一例として、図９〜図１１及び図１３に示す固視標は単なる一例であり、本発明の検眼装置により被検眼に呈示可能な固視標はこれら図に示したものに限定されない。
【符号の説明】
【０１４５】
Ｅ    被検眼
１０    検眼装置
２１    測定光学系
２５    検者用コントローラ（第一の入力部）
２６    被検者用コントローラ（第二の入力部）
２７    制御部
２７ｂ  表示制御部
３２  視標投影系（視標呈示光学系）
３２Ｂ  固定固視標光学系
３２Ｃ  可変視標光学系
３２ｇ  ＶＣＣレンズ（視標投影部）
３２ｐ  固定固視標
３２ｒ  ディスプレイ（表示部）
３２ｓ  固定固視標用光源
３２ｔ  融像枠用光源
３２ｕ  グレア用光源
３４  自覚式検査系（クロスシリンダ光学系）
３４ｃ  ＣＣ視標板（乱視検査用視標）
３４ｅ  プリズム付ＣＣレンズ（光束分割部材）
４０ａ、４０ｂ  視標像（乱視検査用視標像）
【図１】
2019062935.tif 000004
【図２】
2019062935.tif 000005
【図３】
2019062935.tif 000006
【図４】
2019062935.tif 000007
【図５】
2019062935.tif 000008
【図６】
2019062935.tif 000009
【図７】
2019062935.tif 000010
【図８】
2019062935.tif 000011
【図９】
2019062935.tif 000012
【図１０】
2019062935.tif 000013
【図１１】
2019062935.tif 000014
【図１２】
2019062935.tif 000015
【図１３】
2019062935.tif 000016
【図１４】
2019062935.tif 000017
【図１５】
2019062935.tif 000018